(57)【要約】【課題】収納性及び実用性とともにデザイン性を兼ね備えた焚き火台１を提供すること。【解決手段】本考案は、燃焼材を燃焼させて焚き火をする焚き火台１であって、燃焼材を載置する火床１０と、火床１０に隣接して配置される反射板２０と、火床１０及び反射板２０を支持する架台３０と、を備えることを特徴とする焚き火台１である。火床１０は板状であって架台３０に着脱自在に設けられ、架台３０に取り付けることで上向きに凹形となる湾曲形状で設置される。【選択図】図１
0003231988.tif 000002
【実用新案登録請求の範囲】
【請求項１】
燃焼材を燃焼させて焚き火をする焚き火台であって、
前記燃焼材を載置する火床と、
前記火床に隣接して配置される反射板と、
前記火床及び前記反射板を支持する架台と、
を備えることを特徴とする焚き火台。
【請求項２】
前記火床は板状であって前記架台に着脱自在に設けられ、前記架台に取り付けることで上向きに凹形となる湾曲形状で設置されることを特徴とする請求項１に記載の焚き火台。
【請求項３】
前記架台は、
一対の板状脚部と、
前記一対の板状脚部の間に取り付けられ、前記一対の板状脚部を所定間隔で連結するジョイントと、を有し、
分解した状態で、前記一対の板状脚部及び前記ジョイントが前記火床の面上に収まるよう構成される、ことを特徴とする請求項１又は請求項２に記載の焚き火台。
【請求項４】
前記一対の板状脚部のそれぞれには、前記火床の前記架台への取り付けにおいて湾曲形状になった前記火床の裏面を支持する湾曲部が設けられる、ことを特徴とする請求項３に記載の焚き火台。
【請求項５】
前記一対の板状脚部のそれぞれには、前記火床の前記架台への取り付けにおいて前記火床の縁部を引っ掛ける第１凹部が設けられる、ことを特徴とする請求項３又は請求項４に記載の焚き火台。
【請求項６】
前記一対の板状脚部のそれぞれには、上方に立設される支柱が設けられ、
前記反射板の上下の縁部をそれぞれ着脱自在に引っ掛ける第２凹部及び第３凹部が前記支柱に隣接して設けられる、ことを特徴とする請求項３乃至請求項５のいずれかに記載の焚き火台。
【請求項７】
前記ジョイントは棒状に設けられ、前記一対の板状脚部を前記ジョイントの左右のそれぞれから嵌め込んで位置固定するための進退可能なピンが設けられる、ことを特徴とする請求項３乃至請求項６のいずれかに記載の焚き火台。
【請求項８】
前記火床及び前記反射板のそれぞれは略長方形に設けられ、前記火床の長辺の長さは前記反射板の長辺の長さと略同一である、ことを特徴とする請求項１乃至請求項７のいずれかに記載の焚き火台。
【請求項９】
前記火床の表面及び前記反射板の表面のそれぞれは鏡面状に設けられる、請求項１乃至請求項８のいずれかに記載の焚き火台。
【考案の詳細な説明】
【技術分野】
【０００１】
本考案は、屋外で薪や炭で火をおこすときに用いられる焚き火台に関するものである。
【背景技術】
【０００２】
キャンプなど屋外で焚き火をする際、薪や炭といった燃焼材を地面に直接置かないようにする焚き火台が用いられる。特許文献１には、不使用時にコンパクトに折り畳むことができるとともに、使用時に簡単に組み立てることができる焚火台が開示される。また、特許文献２には、焚き火の上方位置だけでなく下方位置での調理も可能とした焚火台が開示される。
【先行技術文献】
【特許文献】
【０００３】
【特許文献１】特開２０１７−１７２８９３号公報
【特許文献２】特開２０２０−１３０７４１号公報
【考案の概要】
【考案が解決しようとする課題】
【０００４】
キャンプ用品は持ち運びの利便性のため組み立て式でコンパクトなものが望まれる。さらには、このような利便性とともに機能性も重要である。焚き火台においては、使わないときはコンパクトに収納でき、使うときには十分な薪を置ける程度のサイズを確保しつつ、効率良く暖を取ることができるとよい。さらには、焚き火の趣を感じられるデザイン性も重要である。
【０００５】
本考案は、上記した課題を解決するためになされたものであり、収納性及び実用性とともにデザイン性を兼ね備えた焚き火台を提供することを目的とする。
【課題を解決するための手段】
【０００６】
上記の課題を解決すべく、本考案は、燃焼材を燃焼させて焚き火をする焚き火台であって、燃焼材を載置する火床と、火床に隣接して配置される反射板と、火床及び反射板を支持する架台と、を備えることを特徴とする焚き火台である。
【考案の効果】
【０００７】
本考案によれば、収納性及び実用性とともにデザイン性を兼ね備えた焚き火台を提供することができる。
【図面の簡単な説明】
【０００８】
【図１】本実施形態に係る焚き火台の構成を例示する斜視図である。
【図２】本実施形態に係る焚き火台を分解した状態を例示する平面図である。
【図３】本実施形態に係る焚き火台を収納した状態を例示する平面図である。
【図４】架台を組み立てた状態を例示する斜視図である。
【図５】（ａ）及び（ｂ）は、ジョイントの取り付けについて説明する図である。
【図６】火床及び反射板の取り付けについて説明する板状脚部の側面図である。
【図７】（ａ）及び（ｂ）は、取り付け部分の拡大図である。
【図８】火床及び反射板の取り付け部分を例示する拡大図である。
【図９】（ａ）及び（ｂ）は、焚き火台の温度特性を説明する図である。
【図１０】（ａ）及び（ｂ）は、焚き火台の使用例を示す図である。
【考案を実施するための形態】
【０００９】
以下、図面を参照して本考案の実施形態を説明する。
【００１０】
（焚き火台の構成）
図１は、本実施形態に係る焚き火台の構成を例示する斜視図である。
図１に示すように、本実施形態に係る焚き火台１は、薪や炭などの燃焼材を燃焼させて焚き火をするものであり、組み立て式になっている。図１には組み立てられた状態が示される。焚き火台１は、燃焼材を載置する火床１０と、火床１０に隣接して配置される反射板２０と、火床１０及び反射板２０を支持する架台３０と、を備える。
【００１１】
火床１０は板状であって架台３０に着脱自在に設けられる。火床１０を架台３０に取り付けることで、火床１０は上向きに凹形となる湾曲形状で設置される。火床１０が上向きに凹形となることで、燃焼材を安定して載置できるとともに、燃焼材が燃えて形が崩れても地面に落下しにくくなる。火床１０はステンレス製であり、表面を鏡面にしておくことが好ましい。
【００１２】
反射板２０は、火床１０に隣接して立設される。火床１０及び反射板２０は略長方形に設けられ、火床１０の長辺の長さが反射板２０の長辺の長さと略同一になっている。これにより、反射板２０の長辺と火床１０の長辺とを互いに合わせるようにして、反射板２０が火床１０の縁に立てられる。反射板２０も火床１０と同様にステンレス製であり、表面を鏡面にしておくことが好ましい。反射板２０が立てられることで、燃焼材を燃やした際の熱を反射板２０で反射して前方（反射方向）へ集中させやすくなる。
【００１３】
架台３０は、一対の板状脚部３１と、一対の板状脚部３１の間に取り付けられ、一対の板状脚部３１を所定間隔で連結するジョイント３５とを有する。一対の板状脚部３１のそれぞれには湾曲部３１ａが設けられる。この湾曲部３１ａを上にして、湾曲部３１ａに沿って火床１０が支持される。すなわち、火床１０は板状に設けられ、架台３０に取り付ける際、一対の板状脚部３１のそれぞれの湾曲部３１ａに沿って湾曲させた状態で固定される。
【００１４】
一対の板状脚部３１のそれぞれには、上方に立設される支柱３２が設けられる。１つの板状脚部３１には２本の支柱３２が設けられ、この２本の支柱３２の上端側が略水平に設けられる連結棒３３によって連結される。反射板２０は支柱３２に着脱自在に取り付けられる。
【００１５】
（焚き火台の収納）
図２は、本実施形態に係る焚き火台を分解した状態を例示する平面図である。
図３は、本実施形態に係る焚き火台を収納した状態を例示する平面図である。
図２に示すように、本実施形態に焚き火台１は、分解することで、１枚の火床１０、１枚の反射板２０、架台３０である２つの板状脚部３１、１本のジョイント３５にパーツ分けされる。図３に示すように、焚き火台１の各パーツを収納するには、２つの板状脚部３１及びジョイント３５が火床１０の面上に収まるように配置される。すなわち、先ず、板状の火床１０の上に反射板２０を重ねて配置する。そして、これらの上に２つの板状脚部３１を隣り合わせにして配置し、最後にジョイント３５を配置する。各板状脚部３１の幅（奥行き）は、平板状にした火床１０の幅（奥行き）よりも小さい。したがって、各パーツをすべて火床１０の面上に収まるように配置することができる。
【００１６】
（焚き火台の組み立て）
次に、焚き火台１の組み立てについて説明する。
図４は、架台を組み立てた状態を例示する斜視図である。
先ず、一対の板状脚部３１をジョイント３５で連結する。板状脚部３１の中央部分にはジョイント３５の端部を挿入する孔３１ｈが設けられている。ジョイント３５の一端を一方の板状脚部３１の孔３１ｈに通し、ジョイント３５の他端を他方の板状脚部３１の孔３１ｈに通すことで、ジョイント３５の両端に一対の板状脚部３１が所定間隔で略平行に配置される。
【００１７】
図５（ａ）及び（ｂ）は、ジョイントの取り付けについて説明する図である。
ジョイント３５の両端それぞれには、２つのピン３５ｐが設けられる。ピン３５ｐはジョイント３５から外方へ突出する方向に付勢されており、ピン３５ｐを押圧することでジョイント３５の内方へ押し込むことができるようになっている。板状脚部３１には、板状脚部３１の厚さよりも長い筒部３１５が設けられ、孔３１ｈにジョイント３５を挿入した際にジョイント３５を安定して保持できるようになっている。
【００１８】
ジョイント３５に板状脚部３１を取り付けるには、図５（ａ）に示すように、ジョイント３５の端部を筒部３１５の孔３１ｈに挿入する。この際、外側のピン３５ｐが突出しており筒部３１５に当たるため、ピン３５ｐを指で押し込む。そして、ピン３５ｐを押し込んだ状態でジョイント３５を筒部３１５に挿入する。ピン３５ｐが筒部３１５を通過すると、ピン３５ｐの付勢力によって再び突出する。これにより、図５（ｂ）に示すように、２つのピン３５ｐの間に筒部３１５が配置され、ジョイント３５に対する板状脚部３１の取り付け位置が決まる。ジョイント３５の反対側の端部にも同様に板状脚部３１を取り付ける。
【００１９】
次に、一対の板状脚部３１及びジョイント３５で構成された架台３０に火床１０及び反射板２０を取り付ける。
図６は、火床及び反射板の取り付けについて説明する板状脚部の側面図である。
図７（ａ）及び（ｂ）は、取り付け部分の拡大図である。図７（ａ）には図６のＡ部の拡大図が示され、図７（ｂ）には図６のＢ部の拡大図が示される。
図８は、火床及び反射板の取り付け部分を例示する拡大図である。図８（ａ）には火床１０の取り付け部分の拡大図が示され、図８（ｂ）には反射板２０の取り付け部分の拡大図が示される。
【００２０】
火床１０は、一対の板状脚部３１のそれぞれに設けられた第１凹部３１１に引っ掛けられる。第１凹部３１１は板状脚部３１の前後にそれぞれ設けられ、火床１０の長辺側の縁部を引っ掛けられるように設けられている。すなわち、平板状の火床１０を撓らせて、火床１０の縁部に設けられた切り欠き部１０ａ（図８（ａ）参照）を第１凹部３１１に嵌めるようにして引っ掛けることで、火床１０は板状脚部３１の湾曲部３１ａに沿って湾曲した状態で取り付けられる。
【００２１】
反射板２０は、支柱３２の上下のそれぞれに隣接して設けられた第２凹部３２２及び第３凹部３２３に引っ掛けられる。支柱３２の下方には第２凹部３２２が支柱３２に隣接して設けられ、支柱３２の上方には第３凹部３２３が支柱３２に隣接して設けられる。反射板２０の長辺側の縁部には切り欠き部２０ａ（図８（ｂ）参照）が設けられ、この切り欠き部２０ａを第２凹部３２２及び第３凹部３２３に嵌めるようにして引っ掛けることで、反射板２０が支柱３２に取り付けられる。
【００２２】
（焚き火台の温度特性）
図９（ａ）及び（ｂ）は、焚き火台の温度特性を説明する図である。図９（ａ）には本実施形態に係る焚き火台１の温度特性が示され、図９（ｂ）には参考例に係る焚き火台２の温度特性が示される。
本実施形態に係る焚き火台１には反射板２０が設けられ、参考例に係る焚き火台２には反射板２０が設けられていない。焚き火台１、２の温度特性を測定するため、それぞれの焚き火台１、２について、気温１２℃で焚き火台１、２のそれぞれから６０ｃｍ離れた６ポイント（前後方向、前方左右斜め方向、後方左右斜め方向）での温度を測定した。測定は、太陽の影響を排除するため、夜間に行った。
【００２３】
その結果、図９（ａ）に示すように、本実施形態に係る焚き火台１では、反射板２０の反射方向（前方）に熱が集中しやすく、後方には伝わりにくくなっている。一方、図９（ｂ）に示す参考例に係る焚き火台２では、いずれかの方向に熱が集中することはなく、周囲に均一に拡がっていることが分かる。
【００２４】
つまり、本実施形態に係る焚き火台１では、反射板２０によって熱が前方に集中しやすく、後方には伝わりにくくなっている。このため、焚き火台１の前方に効率良く熱を伝え、暖を取ることができる。一方、後方には熱が伝わりにくいため、後方に木や草があっても焦げにくく、設置場所の選択の幅が拡がる。
【００２５】
また、従来、キャンプなどで行う焚火は複数人で行うことが多く、焚き火台の周囲に人が集まる為、いずれかの方向に熱が集中することはなく、周囲に均一に拡がる方が好ましかったが、近年では、ソロキャンプや少人数でのキャンプが増えており、必ずしも熱が周囲に均一に拡がる必要は無く、むしろ、熱効率の観点から反射板２０によって熱を前方に集中させたほうがよい。また、反射板２０は着脱自在であるため焚き火台を囲む人数によって、反射板２０を取り付けたり外したりすることができ利便性がよい。
【００２６】
（焚き火台の使用例）
図１０（ａ）及び（ｂ）は、焚き火台の使用例を示す図である。
図１０（ａ）には、本実施形態に係る焚き火台１を使用して薪Ｗを燃やしている状態が示される。焚き火台１の火床１０や反射板２０の表面は鏡面になっているため、燃えている薪Ｗや火の様子が火床１０や反射板２０の表面に映し出される。このため、少量の薪Ｗであっても大きな火をたいているように見える。また、シンプルな構造及び緩やかな曲線形状のため自然環境になじみやすく、焚き火台１の上で薪Ｗを燃やしても地面の上で火をおこしているかのような感覚で焚き火を行うことができる。
【００２７】
図１０（ｂ）には、本実施形態に係る焚き火台１をコンロとして使用する状態が示される。例えば、支柱３２に渡される連結棒３３の上に網５０を載せることで焚き火台１をコンロとして使用することができる。焚き火台１で火をおこし、網５０の上でフライパンなどの調理器具６０を使って料理をしたり、やかんで湯を沸かしたりすることができる。
【００２８】
以上のように、本実施形態は、燃焼材を燃焼させて焚き火をする焚き火台１であって、燃焼材を載置する火床１０と、火床１０に隣接して配置される反射板２０と、火床１０及び反射板２０を支持する架台３０と、を備えることを特徴とする。このような構成によれば、火床１０に隣接する反射板２０によって火床１０で燃える燃焼材の熱を反射板２０で反射して前方へ集中させ、効率良く暖を取ることができる。
【００２９】
上記焚き火台１において、火床１０は板状であって架台３０に着脱自在に設けられ、架台３０に取り付けることで上向きに凹形となる湾曲形状で設置されることが好ましい。これにより、火床１０に燃焼材を安定して載置することができ、燃える途中で燃焼材の形が変わっても火床１０から燃焼材が落下しにくい構造となる。
【００３０】
上記焚き火台１において、架台３０は、一対の板状脚部３１と、一対の板状脚部３１の間に取り付けられ、一対の板状脚部３１を所定間隔で連結するジョイント３５と、を有し、分解した状態で、一対の板状脚部３１及びジョイント３５が火床１０の面上に収まるよう構成されることが好ましい。これにより、分解したパーツを火床１０の面上に載置してコンパクトに収納することができる。
【００３１】
上記焚き火台１において、一対の板状脚部３１のそれぞれには、火床１０の架台３０への取り付けにおいて湾曲形状になった火床１０の裏面を支持する湾曲部３１ａが設けられることが好ましい。これにより、火床１０を上向きに凹形となる湾曲形状で架台３０に支持しやすくなる。
【００３２】
上記焚き火台１において、一対の板状脚部３１のそれぞれには、火床１０の架台３０への取り付けにおいて火床１０の縁部を引っ掛ける第１凹部３１１が設けられることが好ましい。これにより、火床１０の縁部を架台３０の第１凹部３１１に引っ掛けることで、火床１０を架台３０に容易に取り付けることができる。
【００３３】
上記焚き火台１において、一対の板状脚部３１のそれぞれには、上方に立設される支柱３２が設けられ、反射板２０の上下の縁部をそれぞれ着脱自在に引っ掛ける第２凹部３２２及び第３凹部３２３が支柱３２に隣接して設けられることが好ましい。これにより、反射板２０の上下それぞれの縁部を第２凹部３２２及び第３凹部３２３に引っ掛けることで、反射板２０を支柱３２に容易に取り付けることができる。また、反射板２０は着脱自在であるため焚き火台を囲む人数によって、反射板２０を取り付けたり外したりすることができ利便性がよい。
【００３４】
上記焚き火台１において、ジョイント３５は棒状に設けられ、一対の板状脚部３１をジョイント３５の左右のそれぞれから嵌め込んで位置固定するための進退可能なピン３５ｐが設けられることが好ましい。これにより、ピン３５ｐによってジョイント３５の左右に板状脚部３１を容易に位置固定することができる。
【００３５】
上記焚き火台１において、火床１０及び反射板２０のそれぞれは略長方形に設けられ、火床１０の長辺の長さは反射板２０の長辺の長さと略同一であることが好ましい。これにより、反射板２０の長辺と火床１０の長辺とを互いに合わせるようにして、反射板２０を火床１０の縁に立てられる。
【００３６】
上記焚き火台１において、火床１０の表面及び反射板２０の表面のそれぞれは鏡面状に設けられることが好ましい。これにより、燃えている火の様子が火床１０や反射板２０の表面に映し出され、少量の燃焼材を燃やして大きな火をたいているように見える。
【産業上の利用可能性】
【００３７】
本考案は、屋外での焚き火に利用でき、収納性及び実用性とともにデザイン性を兼ね備えた焚き火台１として好適に利用可能である。
【符号の説明】
【００３８】
１  焚き火台
２  焚き火台
１０  火床
１０ａ  切り欠き部
２０  反射板
２０ａ  切り欠き部
３０  架台
３１  板状脚部
３１ａ  湾曲部
３１ｈ  孔
３２  支柱
３３  連結棒
３５  ジョイント
３５ｐ  ピン
５０  網
６０  調理器具
３１１  第１凹部
３１５  筒部
３２２  第２凹部
３２３  第３凹部
Ｗ  薪
【図１】
0003231988.tif 000003
【図２】
0003231988.tif 000004
【図３】
0003231988.tif 000005
【図４】
0003231988.tif 000006
【図５】
0003231988.tif 000007
【図６】
0003231988.tif 000008
【図７】
0003231988.tif 000009
【図８】
0003231988.tif 000010
【図９】
0003231988.tif 000011
【図１０】
0003231988.tif 000012